(57)【要約】【課題】  携帯電話の電話帳登録は手間が掛かり、自動更新されることもない。電話帳情報には住所がなく、電話をかけて聞く必要があった。【解決手段】  携帯電話３に電話帳検索サービスを提供する制御システム１とこれがアクセする電話帳サーバ４と携帯電話会社システム２がインターネット１００で接続され、携帯電話３は無線ネットワーク１０１と携帯電話会社システム２を通じインターネット１００に接続され、携帯電話３は、電話帳記憶部と音声文字変換手段と電話帳アクセス手段と検索サービス要求手段とを備え、音声入力で電話帳記憶部を検索し、電話番号等が無ければ、確認し、制御システム１にＷｅｂ電話帳検索を要求し、制御システムはＷｅｂ電話帳サーバ４を検索し、結果を携帯電話３に返信する。結果の選択された情報で電話帳記憶部を更新し、選択された住所を目的地とする地図を携帯電話会社システム２より受信する。【選択図】      図１
2006279156.tif 000002
【特許請求の範囲】
【請求項１】
携帯電話に電話帳検索サービスを提供する制御システムとこれがアクセする電話帳サーバがネットワークで接続され、携帯電話は無線ネットワークを通じ前記ネットワークに接続され、
前記携帯電話は、電話帳記憶部と音声文字変換手段と電話帳アクセス手段と検索サービス要求手段とを備え、
音声文字変換手段は、入力音声をディジタル化し、一連の文字情報に変換し、ユーザから検索開始の指示音声を受け、前記文字情報での検索を電話帳アクセス手段に指示し、
前記電話帳記憶部には、名称とその電話番号を含む情報が格納され、
前記電話帳アクセス手段は、前記文字情報をキーワードとして電話帳記憶部を検索し、名称に前記キーワードを含む該当情報があれば名称と電話番号を表示し、該当する情報が無ければその旨を表示し、ユーザにアクセス有無を指定させ有りの場合には検索サービス要求手段を起動しキーワードを渡す手段と、電話帳記憶部を更新する手段を有し、
前記検索サービス要求手段は、前記制御システムにアクセスし、端末識別情報やパスワードを送信し、検索要求が受け付けられるとキーワードを含む検索用データを送信し、検索結果として、名称とその電話番号を含む情報を受信し表示する手段と、
ユーザの電話帳登録データの選択操作を検出し、選択範囲の情報による電話帳記憶部の更新を指示する手段とを有し、
前記制御システムは、アクセスを受けた携帯電話より、端末識別やパスワードを取得し、これらがユーザデータベース記憶部に登録されているか確認する手段と、
確認されれば検索要求を受け付け、要求元の携帯電話から検索用データを取得し、これによる検索を電話帳サーバに要求し、検索結果を受け、要求元の携帯電話に送信する手段とを有し、
前記電話帳サーバには名称とその電話番号が格納された電話帳データベース記憶部が接続されていることを特徴とする電話帳検索システム。
【請求項２】
携帯電話会社システムの案内サーバと携帯電話に電話帳検索サービスや案内サービスへの制御情報を提供する制御システムとこれがアクセする電話帳サーバがネットワークで接続され、携帯電話は、無線ネットワークで携帯電話会社システムに接続され、
前記携帯電話は、電話帳記憶部と音声文字変換手段と電話帳アクセス手段と検索・案内サービス要求手段を備え、
前記音声文字変換手段は、入力音声をディジタル化し、一連の文字情報に変換し、ユーザから検索開始の指示音声を受け、前記文字情報での検索を電話帳アクセス手段に指示し、前記電話帳記憶部には、名称とその電話番号を含む情報、或いは更に住所を含む情報が格納され、
前記電話帳アクセス手段は、前記文字情報をキーワードとして電話帳記憶部を検索し、名称に前記キーワードを含む該当情報があれば名称と電話番号を、住所情報が有ればそれも表示し、該当情報が無ければその旨を表示し、ユーザにアクセス有無を指定させ有りの場合に、検索・案内サービス要求手段を起動しキーワードを渡す手段と、また電話帳記憶部を更新する手段を有し、
前記検索・案内サービス要求手段は、前記制御システムにアクセスし、端末識別情報やパスワードを送信し、検索要求が受け付けられるとキーワードを含む検索用データを送信し、検索結果として、名称とその電話番号と住所を含む情報を受信し表示する手段と、
ユーザの電話帳登録データの選択操作を検出し、選択範囲の情報による電話帳記憶部の更新を指示する手段と、
ユーザの住所情報指定操作を検出し、その住所を制御システムに送信し、案内サービスへの制御情報を受け、それを用い案内サーバにアクセスし、住所情報を渡し、その地図情報を受信し表示する手段とを有し、
前記制御システムは、携帯電話よりアクセスを受けると、端末識別やパスワードを取得し、これらがユーザデータベース記憶部に登録されているか確認する手段と、
確認されれば検索要求を受け付け、要求元の携帯電話から検索用データを取得し、これによる検索を電話帳サーバに要求し、検索結果を受け、これを要求元の携帯電話に送信する手段とを有し、
前記電話帳サーバには名称と電話番号と住所を含む電話帳データベース記憶部が接続され、電話帳サーバが検索結果には住所も含めて返信することを特徴とする電話帳検索システム。
【請求項３】
携帯電話に電話帳検索サービスを提供する制御システムであって、
アクセスを受けた携帯電話より、端末識別やパスワードを取得し、これらがユーザデータベース記憶部に登録されているか確認する手段と、
確認されれば検索要求を受け付け、要求元の携帯電話から検索用データを取得し、これによる検索をネットワーク接続された電話帳サーバに要求し、検索結果を受け、要求元の携帯電話に送信する手段とを有することを特徴とする制御システム。
【請求項４】
携帯電話に電話帳検索サービスや案内サービスへの制御情報を提供する制御システムであって、
携帯電話よりアクセスを受けると、端末識別やパスワードを取得し、これらがユーザデータベース記憶部に登録されているか確認する手段と、
確認されれば検索要求を受け付け、要求元の携帯電話から検索用データを取得し、これによる検索をネットワーク接続された電話帳サーバに要求し、検索結果を受け、これを要求元の携帯電話に送信する手段とを有することを特徴とする制御システム。
【請求項５】
電話帳記憶部と音声文字変換手段と電話帳アクセス手段と検索サービス要求手段とを備えた携帯電話であって、
音声文字変換手段は、入力音声をディジタル化し、一連の文字情報に変換し、ユーザから検索開始の指示音声を受け、前記文字情報での検索を電話帳アクセス手段に指示し、
電話帳記憶部には、名称とその電話番号を含む情報が格納され、
前記電話帳アクセス手段は、前記文字情報をキーワードとして電話帳記憶部を検索し、名称に前記キーワードを含む該当情報があれば名称と電話番号を表示し、該当情報が無ければその旨を表示し、ユーザにアクセス有無を指定させ有りの場合には、検索サービス要求手段にキーワードを渡す手段と、電話帳記憶部を更新する手段を有し、
前記検索サービス要求手段は、無線ネットワークやネットワークで接続された制御システムにアクセスし、端末識別情報やパスワードを送信し、検索要求が受け付けられるとキーワードを含む検索用データを送信し、検索結果として、名称とその電話番号を含む情報を受信し表示する手段と、
ユーザの電話帳登録データの選択操作を検出し、選択範囲の情報による電話帳記憶部の更新を指示する手段とを有することを特徴とする携帯電話機。
【請求項６】
前記検索サービス要求手段を、自動入力対応のブラウザとこれがロードした検索サービス要求記述と前記ブラウザが参照するＵＲＬ記憶部と自動入力情報記憶部とで構成し、
前記ブラウザは自動入力情報記憶部に含む、入力変数とその入力値を検索サービス要求記述に反映してから解釈し、
前記電話帳アクセス手段は、前記ＵＲＬ記憶部に検索サービス要求記述が存在するＵＲＬを設定し、前記自動入力記憶部にキーワードの入力変数と前記キーワードを設定し、前記ブラウザを起動することで検索サービス要求手段にキーワードを渡すことを特徴とする請求項５記載の携帯電話機。
【請求項７】
電話帳記憶部と音声文字変換手段と電話帳アクセス手段と検索・案内サービス要求手段とを備えた携帯電話であって、
前記音声文字変換手段は、入力音声をディジタル化し、一連の文字情報に変換し、ユーザから検索開始の指示音声を受け、前記文字情報での検索を電話帳アクセス手段に指示し、
前記電話帳記憶部には、名称とその電話番号を含む情報、或いは更に住所を含む情報が格納され、
前記電話帳アクセス手段は、前記文字情報をキーワードとして電話帳記憶部を検索し、名称に前記キーワードを含む該当情報があれば名称と電話番号を、住所情報が有ればそれも表示し、該当情報が無ければその旨を表示し、ユーザにアクセス有無を指定させ有りの場合に検索・案内サービス要求手段にキーワードを渡す手段と、電話帳記憶部を更新する手段を有し、
前記検索・案内サービス要求手段は、前記制御システムにアクセスし、端末識別情報やパスワードを送信し、検索要求が受け付けられるとキーワードを含む検索用データを送信し、検索結果として、名称とその電話番号と住所を含む情報を受信し表示する手段と、
ユーザの電話帳登録データの選択操作を検出し、選択範囲の情報による電話帳記憶部の更新を指示する手段と、
ユーザの住所情報指定操作を検出し、その住所を制御システムに送信し、案内サービスへの制御情報を受け、それを用い案内サーバにアクセスし、住所情報を渡し、その地図情報を受信し表示する手段とを有することを特徴とする携帯電話機。
【請求項８】
ネットワークを通じアクセスを受けた携帯電話より、端末識別やパスワードを取得し、これらが対応付けられてユーザデータベース記憶部に登録されているか確認する手順と、
確認されれば検索要求を受け付け、要求元の携帯電話から検索用データを取得し、これによる検索をネットワーク接続された電話帳サーバに要求し、検索結果を受け、要求元の携帯電話に送信する手順とをコンピュータに実行させるためのプログラム。
【請求項９】
ネットワークを通じ携帯電話よりアクセスを受けると、端末識別やパスワードを取得し、これらが対応付けられてユーザデータベース記憶部に登録されているか確認する手順と、
確認されれば検索要求を受け付け、要求元の携帯電話から検索用データを取得し、これによる検索をネットワーク接続された電話帳サーバに要求し、検索結果を受け、これを要求元の携帯電話に送信する手順とをコンピュータに実行させるためのプログラム。
【請求項１０】
入力音声をディジタル化し、一連の文字情報に変換し、ユーザから検索開始の指示音声を受け、前記文字情報での検索を電話帳アクセス手順に指示する音声文字変換手順と、
名称とその電話番号情報が格納された電話帳記憶部を前記文字情報をキーワードとして検索し、名称に前記キーワードを含む該当情報があれば名称と電話番号を表示し、該当情報が無ければその旨を表示し、ユーザにアクセス有無を指定させ有りの場合に、検索サービス要求手順を起動し、キーワードを渡し、また電話帳記憶部を更新する電話帳アクセス手順とを携帯電話に実行させるためのプログラム。
【請求項１１】
ネットワークで接続された制御システムにアクセスし、端末識別情報やパスワードを送信し、検索要求が受け付けられるとキーワードを含む検索用データを送信し、検索結果として、名称とその電話番号を含む情報を受信し表示し、ユーザの電話帳登録データの選択操作を検出し、選択範囲の情報による電話帳記憶部の更新を指示する電話帳検索サービス要求手順とを携帯電話に実行させるためのプログラム。
【請求項１２】
入力音声をディジタル化し、一連の文字情報に変換し、ユーザから検索開始の指示音声を受け、前記文字情報での検索を電話帳アクセス手順に指示する音声文字変換手順と、
名称とその電話番号を含む情報、或いは更に住所を含む情報が格納された電話帳記憶部を前記文字情報をキーワードとして検索し、名称に前記キーワードを含む該当情報があれば名称と電話番号を、住所情報が有ればそれも表示し、該当情報が無ければその旨を表示し、ユーザにアクセス有無を指定させ有りの場合に、検索・案内サービス要求手順を起動し、キーワードを渡し、また電話帳記憶部を更新する電話帳アクセス手順とを携帯電話に実行させるためのプログラム。
【請求項１３】
ネットワーク接続された制御システムにアクセスし、端末識別情報やパスワードを送信し、検索要求が受け付けられるとキーワードを含む検索用データを送信し、検索結果として、名称とその電話番号と住所を含む情報を受信し表示し、ユーザの電話帳登録データの選択操作を検出し、選択範囲の情報による電話帳記憶部の更新を指示する手順と、
ユーザの住所情報指定操作を検出し、その住所を前記制御システムに送信し、案内サービスへのアクセス制御情報を受け、それを用い、ネットワーク接続された案内サーバにアクセスし、住所情報を渡す検索・案内サービス要求手順とを携帯電話に実行させるためのプログラム。
【請求項１４】
携帯電話に電話帳検索サービスを提供する制御システムとこれがアクセする電話帳サーバがネットワークで接続され、携帯電話は無線ネットワークを通じ前記ネットワークに接続されたシステムにおける電話帳検索方法であって、
前記携帯電話は、音声文字変換手順手段と電話帳アクセス手順と検索サービス要求手順とを備え、
音声文字変換手順は、入力音声をディジタル化し、一連の文字情報に変換し、ユーザから検索開始の指示音声を受け、前記文字情報での検索を電話帳アクセス手順に指示し、
前記電話帳アクセス手順は、名称とその電話番号情報が格納された電話帳記憶部を前記文字情報をキーワードとして検索し、名称に前記キーワードを含む該当情報があれば名称と電話番号を表示し、該当する情報が無ければその旨を表示し、ユーザにアクセス有無を指定させ有りの場合に、検索サービス要求手順を起動しキーワードを渡す手順と、電話帳記憶部を更新する手順を有し、
前記検索サービス要求手順は、前記制御システムにアクセスし、端末識別情報やパスワードを送信し、検索要求が受け付けられるとキーワードを含む検索用データを送信し、検索結果として、名称とその電話番号を含む情報を受信し表示する手順と、
ユーザの電話帳登録データの選択操作を検出し、選択範囲の情報による電話帳記憶部の更新を指示する手順とを有し、
前記制御システムは、アクセスを受けた携帯電話より、端末識別やパスワードを取得し、これらがユーザデータベース記憶部に登録されているか確認する手順と、
確認されれば検索要求を受け付け、要求元の携帯電話から検索用データを取得し、これによる検索を電話帳サーバに要求し、検索結果を受け、要求元の携帯電話に送信する手順とを有することを特徴とする電話帳検索方法。
【請求項１５】
携帯電話会社システムの案内サーバと携帯電話に電話帳検索サービスや案内サービスへの制御情報を提供する制御システムとこれがアクセする電話帳サーバがネットワークで接続され、携帯電話は、無線ネットワークで携帯電話会社システムに接続されたシステムにおける電話帳検索方法であって、
前記携帯電話は、音声文字変換手順手段と電話帳アクセス手順手段と検索・案内サービス要求手順を備え、
前記音声文字変換手順手段は、入力音声をディジタル化し、一連の文字情報に変換し、ユーザから検索開始の指示音声を受け、前記文字情報での検索を電話帳アクセス手順に指示し、
前記電話帳アクセス手順は、名称とその電話番号を含む情報、或いは更に住所を含む情報が格納された電話帳記憶部を前記文字情報をキーワードとして検索し、名称に前記キーワードを含む該当情報があれば名称と電話番号を、住所情報が有ればそれも表示し、該当情報が無ければその旨を表示し、ユーザにアクセス有無を指定させ有りの場合に、検索・案内サービス要求手順を起動し、キーワードを渡す手順と、また電話帳記憶部を更新する手順を有し、
前記検索・案内サービス要求手順は、前記制御システムにアクセスし、端末識別情報やパスワードを送信し、検索要求が受け付けられるとキーワードを含む検索用データを送信し、検索結果として、名称とその電話番号と住所を含む情報を受信し表示する手順と、
ユーザの電話帳登録データの選択操作を検出し、選択範囲の情報による電話帳記憶部の更新を指示する手順と、
ユーザの住所情報指定操作を検出し、その住所を制御システムに送信し、案内サービスへの制御情報を受け、それを用い案内サーバにアクセスし、住所情報を渡し、その地図情報を受信し表示する手順とを有し、
前記制御システムは、携帯電話よりアクセスを受けると、端末識別やパスワードを取得し、これらがユーザデータベース記憶部に登録されているか確認する手順と、
確認されれば検索要求を受け付け、要求元の携帯電話から検索用データを取得し、これによる検索を電話帳サーバに要求し、検索結果を受け、これを要求元の携帯電話に送信する手順とを有することを特徴とする電話帳検索方法。
【発明の詳細な説明】
【技術分野】
【０００１】
本発明は電話帳検索システムと方法、制御システム、携帯電話機、及びプログラムに関し、特に、携帯電話機に入力音声を文字に変換し、それでローカル（自機の）電話帳を検索し、該当の電話番号が得られなければ制御システムを通じてＷｅｂ電話帳にアクセスし、該当の電話番号を取得しローカル電話帳を更新し、また電話帳情報に住所情報を含ませ、ローカル電話帳やＷｅｂ電話帳から検索された住所情報を目的地とし案内する電話帳検索システムと方法、制御システム、携帯電話機、及びプログラムに関する。
【背景技術】
【０００２】
従来の公衆電話時代は公衆電話に電話帳が置いてあり、それを手動で検索できるといった方法が存在した。
【０００３】
携帯電話はその場で電話できる便利さのため急速に普及した。しかしこの様な時代背景に対し、従来の電話帳を検索できる方法だけが確立されないままになっている。
【０００４】
世間には企業、施設、サービス等多くの電話番号が存在し、色んな場所に電話する機会が発生するが、すべての番号を記録や記憶することは不可能に等しい。
【０００５】
次に、外出や出張の多い仕事に従事している者は、外出先から目的の会社や施設（宿泊先等）を訪問したい場合、電話番号を検索することから始まり、実際に電話をして「住所や場所」を口答にて確認して伺う状況が多い。
【０００６】
また、携帯電話機がインターネットアクセスし電話番号等を得る発明として、発信制限機能を有し、Ｗｅｂページを閲覧できる機能を有する携帯電話機に、電話番号の掲載されたＷｅｂページの送信を行う電話番号管理装置で、これのＷｅｂサーバーが、利用者認証、電話番号検索条件の選択、検索項目入力のＷｅｂページ送信し、検索条件で電話帳データベースを検索して得られた、該当する電話番号に発信可能なＵＲＬを掲載したＷｅｂページを送信する発明がある（特許文献１参照。）。
【０００７】
【特許文献１】特開２００２−１６６９４号公報（第１ページ）
【発明の開示】
【発明が解決しようとする課題】
【０００８】
従って、電話したい場所に関しては携帯の電話帳に予め登録するか、その他何らかの手段（本や人に聞く）などで確認する必要がある。
【０００９】
それにより携帯の電話帳に電話番号を登録する件数が増えている。
【００１０】
登録に膨大な手間と時間を費やしているという第１の課題がある。
【００１１】
次に、携帯電話の電話帳に登録した者の、電話番号に変更があっても、再登録や変更登録操作をしないかぎり古い情報のまま更新されないし、折角登録した携帯電話も「紛失」や「破損」といった場合、またデータを一から入力しなければならないといった第２の課題もある。
【００１２】
さらに現在の携帯電話は住所データを保持していないため、電話している場所が全く把握できない。
【００１３】
現在は電話番号を調べるために１０４に問い合わせているが、１０４サービスは１件につき約１００円の金額が発生してしまう。
【００１４】
上記、目的の相手や施設に電話し、住所や場所をヒヤリングした場合、目的地の場所が旨く発見できないことも多く、無駄な時間が掛かり約束の時間に遅れたりして大変な問題になるという別の課題もある。
【００１５】
上記発明は、携帯電話がＷｅｂサーバ以外に発信出来ないようにし、電話帳データベースも私用電話先を含まないようにするもので、従来の公衆電話等の電話帳（ブック）の機能を持たない。
【００１６】
また、携帯電話内の電話帳アクセス手段との連携等は示されてないので上記課題を解決
するものではない。
【００１７】
本発明の目的は、携帯電話機のローカル電話帳に登録する作業を軽減し、またローカル電話帳の検索を楽にし、またこれで必要な電話番号が見つからなくても、電話帳（ブック）を使って電話番号を調べなくても、インターネット上にあるＷＥＢ電話帳内の最新のデータを検索して携帯電話帳に取り込み、電話を掛けることができる電話帳検索システムと方法、制御システム、携帯電話機、プログラムを提供することにある。
【００１８】
さらに電話帳に住所データも保持し、そこへの案内サービスも含む電話帳検索システムと方法、制御システム、携帯電話機、プログラムを提供することにある。
【課題を解決するための手段】
【００１９】
本発明の第１の電話帳検索システムは、携帯電話に電話帳検索サービスを提供する制御システムとこれがアクセする電話帳サーバがネットワークで接続され、携帯電話は無線ネットワークを通じ前記ネットワークに接続され、前記携帯電話は、電話帳記憶部と音声文字変換手段と電話帳アクセス手段と検索サービス要求手段とを備え、音声文字変換手段は、入力音声をディジタル化し、一連の文字情報に変換し、ユーザから検索開始の指示音声を受け、前記文字情報での検索を電話帳アクセス手段に指示し、前記電話帳記憶部には、名称とその電話番号を含む情報が格納され、前記電話帳アクセス手段は、前記文字情報をキーワードとして電話帳記憶部を検索し、名称に前記キーワードを含む該当情報があれば名称と電話番号を表示し、該当する情報が無ければその旨を表示し、ユーザにアクセス有無を指定させ有りの場合には検索サービス要求手段を起動しキーワードを渡す手段と、電話帳記憶部を更新する手段を有し、前記検索サービス要求手段は、前記制御システムにアクセスし、端末識別情報やパスワードを送信し、検索要求が受け付けられるとキーワードを含む検索用データを送信し、検索結果として、名称とその電話番号を含む情報を受信し表示する手段と、ユーザの電話帳登録データの選択操作を検出し、選択範囲の情報による電話帳記憶部の更新を指示する手段とを有し、前記制御システムは、アクセスを受けた携帯電話より、端末識別やパスワードを取得し、これらがユーザデータベース記憶部に登録されているか確認する手段と、確認されれば検索要求を受け付け、要求元の携帯電話から検索用データを取得し、これによる検索を電話帳サーバに要求し、検索結果を受け、要求元の携帯電話に送信する手段とを有し、前記電話帳サーバには名称とその電話番号が格納された電話帳データベース記憶部が接続されている。
【００２０】
本発明の第２の電話帳検索システムは、携帯電話会社システムの案内サーバと携帯電話に電話帳検索サービスや案内サービスへの制御情報を提供する制御システムとこれがアクセする電話帳サーバがネットワークで接続され、携帯電話は、無線ネットワークで携帯電話会社システムに接続され、前記携帯電話は、電話帳記憶部と音声文字変換手段と電話帳アクセス手段と検索・案内サービス要求手段を備え、前記音声文字変換手段は、入力音声をディジタル化し、一連の文字情報に変換し、ユーザから検索開始の指示音声を受け、前記文字情報での検索を電話帳アクセス手段に指示し、前記電話帳記憶部には、名称とその電話番号を含む情報、或いは更に住所を含む情報が格納され、前記電話帳アクセス手段は、前記文字情報をキーワードとして電話帳記憶部を検索し、名称に前記キーワードを含む該当情報があれば名称と電話番号を、住所情報が有ればそれも表示し、該当情報が無ければその旨を表示し、ユーザにアクセス有無を指定させ有りの場合に、検索・案内サービス要求手段を起動しキーワードを渡す手段と、また電話帳記憶部を更新する手段を有し、前記検索・案内サービス要求手段は、前記制御システムにアクセスし、端末識別情報やパスワードを送信し、検索要求が受け付けられるとキーワードを含む検索用データを送信し、検索結果として、名称とその電話番号と住所を含む情報を受信し表示する手段と、ユーザの電話帳登録データの選択操作を検出し、選択範囲の情報による電話帳記憶部の更新を指示する手段と、ユーザの住所情報指定操作を検出し、その住所を制御システムに送信し、案内サービスへの制御情報を受け、それを用い案内サーバにアクセスし、住所情報を渡し、その地図情報を受信し表示する手段とを有し、前記制御システムは、携帯電話よりアクセスを受けると、端末識別やパスワードを取得し、これらがユーザデータベース記憶部に登録されているか確認する手段と、確認されれば検索要求を受け付け、要求元の携帯電話から検索用データを取得し、これによる検索を電話帳サーバに要求し、検索結果を受け、これを要求元の携帯電話に送信する手段とを有し、前記電話帳サーバには名称と電話番号と住所を含む電話帳データベース記憶部が接続され、電話帳サーバが検索結果には住所も含めて返信する。
【００２１】
本発明の第１の制御システムは、携帯電話に電話帳検索サービスを提供する制御システムであって、アクセスを受けた携帯電話より、端末識別やパスワードを取得し、これらがユーザデータベース記憶部に登録されているか確認する手段と、確認されれば検索要求を受け付け、要求元の携帯電話から検索用データを取得し、これによる検索をネットワーク接続された電話帳サーバに要求し、検索結果を受け、要求元の携帯電話に送信する手段とを有する。
【００２２】
本発明の第２の制御システムは、携帯電話に電話帳検索サービスや案内サービスへの制御情報を提供する制御システムであって、携帯電話よりアクセスを受けると、端末識別やパスワードを取得し、これらがユーザデータベース記憶部に登録されているか確認する手段と、確認されれば検索要求を受け付け、要求元の携帯電話から検索用データを取得し、これによる検索をネットワーク接続された電話帳サーバに要求し、検索結果を受け、これを要求元の携帯電話に送信する手段とを有する。
【００２３】
本発明の第１の携帯電話機は、電話帳記憶部と音声文字変換手段と電話帳アクセス手段と検索サービス要求手段とを備えた携帯電話であって、音声文字変換手段は、入力音声をディジタル化し、一連の文字情報に変換し、ユーザから検索開始の指示音声を受け、前記文字情報での検索を電話帳アクセス手段に指示し、電話帳記憶部には、名称とその電話番号を含む情報が格納され、前記電話帳アクセス手段は、前記文字情報をキーワードとして電話帳記憶部を検索し、名称に前記キーワードを含む該当情報があれば名称と電話番号を表示し、該当情報が無ければその旨を表示し、ユーザにアクセス有無を指定させ有りの場合には、検索サービス要求手段にキーワードを渡す手段と、電話帳記憶部を更新する手段を有し、前記検索サービス要求手段は、無線ネットワークやネットワークで接続された制御システムにアクセスし、端末識別情報やパスワードを送信し、検索要求が受け付けられるとキーワードを含む検索用データを送信し、検索結果として、名称とその電話番号を含む情報を受信し表示する手段と、ユーザの電話帳登録データの選択操作を検出し、選択範囲の情報による電話帳記憶部の更新を指示する手段とを有する。
【００２４】
本発明の第２の携帯電話機は、前記第１の携帯電話機であって、前記検索サービス要求手段を、自動入力対応のブラウザとこれがロードした検索サービス要求記述と前記ブラウザが参照するＵＲＬ記憶部と自動入力情報記憶部とで構成し、前記ブラウザは自動入力情報記憶部に含む、入力変数とその入力値を検索サービス要求記述に反映してから解釈し、前記電話帳アクセス手段は、前記ＵＲＬ記憶部に検索サービス要求記述が存在するＵＲＬを設定し、前記自動入力記憶部にキーワードの入力変数と前記キーワードを設定し、前記ブラウザを起動することで検索サービス要求手段にキーワードを渡す。
【００２５】
本発明の第３の携帯電話機は、電話帳記憶部と音声文字変換手段と電話帳アクセス手段と検索・案内サービス要求手段とを備えた携帯電話であって、前記音声文字変換手段は、入力音声をディジタル化し、一連の文字情報に変換し、ユーザから検索開始の指示音声を受け、前記文字情報での検索を電話帳アクセス手段に指示し、前記電話帳記憶部には、名称とその電話番号を含む情報、或いは更に住所を含む情報が格納され、前記電話帳アクセス手段は、前記文字情報をキーワードとして電話帳記憶部を検索し、名称に前記キーワードを含む該当情報があれば名称と電話番号を、住所情報が有ればそれも表示し、該当情報が無ければその旨を表示し、ユーザにアクセス有無を指定させ有りの場合に検索・案内サービス要求手段にキーワードを渡す手段と、電話帳記憶部を更新する手段を有し、前記検索・案内サービス要求手段は、前記制御システムにアクセスし、端末識別情報やパスワードを送信し、検索要求が受け付けられるとキーワードを含む検索用データを送信し、検索結果として、名称とその電話番号と住所を含む情報を受信し表示する手段と、ユーザの電話帳登録データの選択操作を検出し、選択範囲の情報による電話帳記憶部の更新を指示する手段と、ユーザの住所情報指定操作を検出し、その住所を制御システムに送信し、案内サービスへの制御情報を受け、それを用い案内サーバにアクセスし、住所情報を渡し、その地図情報を受信し表示する手段とを有する。
【００２６】
本発明の第１のプログラムは、ネットワークを通じアクセスを受けた携帯電話より、端末識別やパスワードを取得し、これらが対応付けられてユーザデータベース記憶部に登録されているか確認する手順と、確認されれば検索要求を受け付け、要求元の携帯電話から検索用データを取得し、これによる検索をネットワーク接続された電話帳サーバに要求し、検索結果を受け、要求元の携帯電話に送信する手順とをコンピュータに実行させる。
【００２７】
本発明の第２のプログラムは、ネットワークを通じ携帯電話よりアクセスを受けると、端末識別やパスワードを取得し、これらが対応付けられてユーザデータベース記憶部に登録されているか確認する手順と、確認されれば検索要求を受け付け、要求元の携帯電話から検索用データを取得し、これによる検索をネットワーク接続された電話帳サーバに要求し、検索結果を受け、これを要求元の携帯電話に送信する手順とをコンピュータに実行させる。
【００２８】
本発明の第３のプログラムは、入力音声をディジタル化し、一連の文字情報に変換し、ユーザから検索開始の指示音声を受け、前記文字情報での検索を電話帳アクセス手順に指示する音声文字変換手順と、名称とその電話番号情報が格納された電話帳記憶部を前記文字情報をキーワードとして検索し、名称に前記キーワードを含む該当情報があれば名称と電話番号を表示し、該当情報が無ければその旨を表示し、ユーザにアクセス有無を指定させ有りの場合に、検索サービス要求手順を起動し、キーワードを渡し、また電話帳記憶部を更新する電話帳アクセス手順とを携帯電話に実行させる。
【００２９】
本発明の第４のプログラムは、ネットワークで接続された制御システムにアクセスし、端末識別情報やパスワードを送信し、検索要求が受け付けられるとキーワードを含む検索用データを送信し、検索結果として、名称とその電話番号を含む情報を受信し表示し、ユーザの電話帳登録データの選択操作を検出し、選択範囲の情報による電話帳記憶部の更新を指示する電話帳検索サービス要求手順とを携帯電話に実行させる。
【００３０】
本発明の第５のプログラムは、入力音声をディジタル化し、一連の文字情報に変換し、ユーザから検索開始の指示音声を受け、前記文字情報での検索を電話帳アクセス手順に指示する音声文字変換手順と、名称とその電話番号を含む情報、或いは更に住所を含む情報が格納された電話帳記憶部を前記文字情報をキーワードとして検索し、名称に前記キーワードを含む該当情報があれば名称と電話番号を、住所情報が有ればそれも表示し、該当情報が無ければその旨を表示し、ユーザにアクセス有無を指定させ有りの場合に、検索・案内サービス要求手順を起動し、キーワードを渡し、また電話帳記憶部を更新する電話帳アクセス手順とを携帯電話に実行させる。
【００３１】
本発明の第６のプログラムは、ネットワーク接続された制御システムにアクセスし、端末識別情報やパスワードを送信し、検索要求が受け付けられるとキーワードを含む検索用データを送信し、検索結果として、名称とその電話番号と住所を含む情報を受信し表示し、ユーザの電話帳登録データの選択操作を検出し、選択範囲の情報による電話帳記憶部の更新を指示する手順と、ユーザの住所情報指定操作を検出し、その住所を前記制御システムに送信し、案内サービスへのアクセス制御情報を受け、それを用い、ネットワーク接続された案内サーバにアクセスし、住所情報を渡す検索・案内サービス要求手順とを携帯電話に実行させる。
【００３２】
本発明の第１の電話帳検索方法は、携帯電話に電話帳検索サービスを提供する制御システムとこれがアクセする電話帳サーバがネットワークで接続され、携帯電話は無線ネットワークを通じ前記ネットワークに接続されたシステムにおける電話帳検索方法であって、前記携帯電話は、音声文字変換手順手段と電話帳アクセス手順と検索サービス要求手順とを備え、音声文字変換手順は、入力音声をディジタル化し、一連の文字情報に変換し、ユーザから検索開始の指示音声を受け、前記文字情報での検索を電話帳アクセス手順に指示し、前記電話帳アクセス手順は、名称とその電話番号情報が格納された電話帳記憶部を前記文字情報をキーワードとして検索し、名称に前記キーワードを含む該当情報があれば名称と電話番号を表示し、該当する情報が無ければその旨を表示し、ユーザにアクセス有無を指定させ有りの場合に、検索サービス要求手順を起動しキーワードを渡す手順と、電話帳記憶部を更新する手順を有し、前記検索サービス要求手順は、前記制御システムにアクセスし、端末識別情報やパスワードを送信し、検索要求が受け付けられるとキーワードを含む検索用データを送信し、検索結果として、名称とその電話番号を含む情報を受信し表示する手順と、ユーザの電話帳登録データの選択操作を検出し、選択範囲の情報による電話帳記憶部の更新を指示する手順とを有し、前記制御システムは、アクセスを受けた携帯電話より、端末識別やパスワードを取得し、これらがユーザデータベース記憶部に登録されているか確認する手順と、確認されれば検索要求を受け付け、要求元の携帯電話から検索用データを取得し、これによる検索を電話帳サーバに要求し、検索結果を受け、要求元の携帯電話に送信する手順とを有する。
【００３３】
本発明の第２の電話帳検索方法は、携帯電話会社システムの案内サーバと携帯電話に電話帳検索サービスや案内サービスへの制御情報を提供する制御システムとこれがアクセする電話帳サーバがネットワークで接続され、携帯電話は、無線ネットワークで携帯電話会社システムに接続されたシステムにおける電話帳検索方法であって、前記携帯電話は、音声文字変換手順手段と電話帳アクセス手順手段と検索・案内サービス要求手順を備え、前記音声文字変換手順手段は、入力音声をディジタル化し、一連の文字情報に変換し、ユーザから検索開始の指示音声を受け、前記文字情報での検索を電話帳アクセス手順に指示し、前記電話帳アクセス手順は、名称とその電話番号を含む情報、或いは更に住所を含む情報が格納された電話帳記憶部を前記文字情報をキーワードとして検索し、名称に前記キーワードを含む該当情報があれば名称と電話番号を、住所情報が有ればそれも表示し、該当情報が無ければその旨を表示し、ユーザにアクセス有無を指定させ有りの場合に、検索・案内サービス要求手順を起動し、キーワードを渡す手順と、また電話帳記憶部を更新する手順を有し、前記検索・案内サービス要求手順は、前記制御システムにアクセスし、端末識別情報やパスワードを送信し、検索要求が受け付けられるとキーワードを含む検索用データを送信し、検索結果として、名称とその電話番号と住所を含む情報を受信し表示する手順と、ユーザの電話帳登録データの選択操作を検出し、選択範囲の情報による電話帳記憶部の更新を指示する手順と、ユーザの住所情報指定操作を検出し、その住所を制御システムに送信し、案内サービスへの制御情報を受け、それを用い案内サーバにアクセスし、住所情報を渡し、その地図情報を受信し表示する手順とを有し、前記制御システムは、携帯電話よりアクセスを受けると、端末識別やパスワードを取得し、これらがユーザデータベース記憶部に登録されているか確認する手順と、確認されれば検索要求を受け付け、要求元の携帯電話から検索用データを取得し、これによる検索を電話帳サーバに要求し、検索結果を受け、これを要求元の携帯電話に送信する手順とを有する。
【発明の効果】
【００３４】
第１の効果は、簡易に電話帳を使えることにある。
【００３５】
その理由は、音声検索できるためである。
【００３６】
第２の効果は、個人の携帯電話帳に無い場合、または移動や転居による電話番号が変更された場合はインターネット上にある電話帳を検索し、いつでも最新の電話番号を検索できることにある。
【００３７】
その理由は、現在の携帯電話帳はローカルだが、Ｗｅｂ電話帳はリアルタイムのためである。
【００３８】
第３の効果は、検索した番号を個人用携帯電話に登録することにより、一度検索した電話番号は次回検索時スピーディに検索できることにある。
【００３９】
その理由は、従来の電話帳手動登録ではなくダウンロード登録できるためである。
【００４０】
第４の効果は、１０４等で検索する不必要となり料金が発生しない。その理由は基本的にインターネット電話帳は無料で検索できるためである。
【００４１】
第５の効果は、携帯電話に住所データを登録でき、それにより電話で住所を聞かなくても目的地に向かうことが可能になることである。
【発明を実施するための最良の形態】
【００４２】
次に、本発明を実施するための最良の形態について図面を参照して詳細に説明する。
次に、本発明の第１の実施例の構成について図面を参照して詳細に説明する。
【００４３】
本発明は図１に示すとおりインターネット上の制御システム１と携帯電話会社（プロバイダ）システム２とＷｅｂ電話帳サーバ４−１〜４−３及び携帯電話３で構成されており、制御システム１と携帯電話会社システム２と各Ｗｅｂ電話帳サーバはインターネット１００を介して接続されている。
【００４４】
携帯電話３と携帯電話会社システム２は無線ネットワーク１０１等で接続されている。
【００４５】
制御システム１とはＷＥＢ電話帳サーバの検索や目的地案内を制御するものであり、図２に示すとおり処理装置１１とユーザＤＢ（データベース）記憶部１２とＷｅｂ電話帳サーバ情報記憶部１３と案内サーバ情報記憶部１４により構成されている。
【００４６】
処理装置１１は、Ｗｅｂサーバ装置等であり、プログラム制御で動作する。
【００４７】
また、個人の携帯電話３より要求されるサービスに応答する。
【００４８】
ユーザＤＢ記憶部１２はサービスを提供出来る携帯電話番号とそのユーザＩＤとパスワードを格納しており、処理装置１１の受付処理手段１１１によって検索されるデータベース記憶部である。
【００４９】
情報格納例は図９の様になっている。
【００５０】
Ｗｅｂ電話帳サーバ情報記憶部１３には、Ｗｅｂ電話帳サーバに関する情報、即ちＵＲＬ（ｕｎｉｆｏｒｍ  ｒｅｓｏｕｒｃｅ  ｌｏｃａｔｏｒ）ないし通信アドレス、検索可能な範囲、検索要求シーケンス等）が格納されている。
【００５１】
案内サーバ情報記憶部１４には、目的地の住所等をキーとし地図情報を提供できる携帯電話会社システム２のサーバのＵＲＬ等が格納されている。
【００５２】
処理装置１１には、受付処理手段１１１、電話帳検索サービス手段１１２、案内サービス制御手段１１３を含む。
【００５３】
受付処理手段１１１は、携帯電話３からアクセスされると、これから携帯電話番号、ユーザＩＤ、パスワードを取得し、ユーザＤＢ記憶部１２を参照し登録ユーザであることを確認する。
【００５４】
電話帳検索サービス手段１１２は、携帯電話３から検索キーデータを取得し、Ｗｅｂ電話帳サーバ情報記憶部１３を参照し、アクセス先或いはアクセス順を決め、そのＷｅｂ電話帳サーバにアクセスし検索用データ（検索キーデータ）を伴って検索要求する。
【００５５】
受信する検索結果を必要であれば変換し、要求元の携帯電話に送信する。
【００５６】
変換とは、主に受信した検索結果の名称、電話番号、住所の各変数名を携帯電話３向けの変数名に付け替えることである。
【００５７】
案内サービス制御手段１１３は、携帯電話３より目的地（住所）情報を受け、案内サーバ情報記憶部１４を参照し、目的地の地図情報を提供できる携帯電話会社システムのサーバのＵＲＬとそこへのアクセス制御データを返信する。
【００５８】
ＷＥＢ電話帳サーバ４−１〜４−４とは「Ｙａｈｏｏ」や「タウンページ」といったインターネット上で電話帳を使用できるサービスを提供するサーバである。
【００５９】
図３に示す様に、サーバ等の処理装置４１と電話帳ＤＢ記憶部４２を含む。
【００６０】
処理装置４１には、検索手段４１１を含む。
【００６１】
電話帳ＤＢ記憶部４２には、名称、電話番号、住所を含む電話帳単位情報を多数格納している。
【００６２】
尚、現在これらで検索できる電話帳は無料で使用できるが、本サービスで使用する際には事前に了承を得るものとする。
【００６３】
ただし、本サービスの目的のために別途、携帯電話用電話帳サイトを作成して使用しなければならない場合、予め個人及び携帯電話会社はそのサイトを使用する契約をする必要がある。
【００６４】
図４に携帯電話会社システム２に含まれる案内システムの構成を示す。処理装置（案内サーバ）２１と地図情報ＤＢ記憶部２２を含む。
【００６５】
処理装置（案内サーバ）２１はＷｅｂサーバ等の装置でプログラム制御で動作する。
案内サービス手段２１１は携帯電話３よりアクセスを受けると、これより目的地を取得し、それを含む地図情報を地図情報ＤＢ記憶部２２より取得し要求元の携帯電話３に返信する。
【００６６】
個人の携帯電話３の構成を図５に示す。携帯電話３は、データ処理部３１と、送信信号の変調、受信信号の復調や送信と受信の切換等を行う通信部３２と、マイク３４からの音声をサンプリングホールド後ＡＤ変換し、これを符号化し、また符号化信号をデコードする音声コーディック３３と、マイク３４とレシーバ３５を含む。
【００６７】
データ処理部３１は、図示してないがハードウェアとしてはプロセッサとＲＡＭとＲＯＭとフラッシュメモリと液晶ディスプレイやキーパネルとこれらのコントローラを含む。
【００６８】
またリムーバルなメモリカードを装着するインタフェース部も有し、データ処理部３１はプログラム制御で動作する。
【００６９】
本発明に関わるデータ処理部３１の記憶部と手段（プログラム）は図５に示す通りである。
【００７０】
電話帳記憶部３１３には、名称と電話番号とその住所、或いは名称と電話番号を単位とする情報が格納されている。
【００７１】
音声文字変換手段３１１は、音声入力開始指示を受け、入力音声をディジタル化し音声記憶部３１７に一時記憶し、周波数成分パターンを五十音他のレファレンスパターンと比較し、またそれまでの認識文字により決めた各文字の確率（候補としての確率）を考慮し、仮名に変換し、仮名の語が予め登録された指示語でなければ、更に漢字、別の仮名、英数字に変換し順次記憶する。
【００７２】
仮名の語が変換指示語であれば文字変換し、検索開始指示であれば、電話帳アクセス手段３１２に、記憶した一連の語をキーワードとする検索を指示する。
【００７３】
指示語（指示音声）とは、「ヘンカン」「カクテイ」「ケンサクカイシ」等で予め登録し記憶している。
【００７４】
音声記憶部３１７への入力は、音声コーディック３３のＡＤ変換した信号を入力してもよい。
【００７５】
ＡＤ変換のサンプリング周期は、音声認識用に変更できる構成としてもよい。
【００７６】
電話帳記憶部３１３には、名称と電話番号とその住所、或いは名称と電話番号を単位とする情報が格納されている。
【００７７】
電話帳アクセス手段３１２は、音声文字変換部からの検索指示を受け、キーワードで電話帳記憶部を検索し、名称に前記キーワードを含む該当情報があれば名称と電話番号を、住所情報が有ればそれも表示する。
【００７８】
該当する情報が無い場合、及びユーザにアクセスの有無を指定させ有りの場合に検索・案内サービス要求手段３１４を起動しキーワードを渡す。
【００７９】
また、検索・案内サービス要求手段３１４からの更新指示で電話帳記憶部３１３を更新する。
【００８０】
ここで、音声文字変換手段３１１と電話帳アクセス手段３１２の動作例を説明する。
ユーザが携帯電話３の音声入力ボタンを押す。音声文字変換手段３１１が「音声を入力して下さい」のメッセージを表示する。
【００８１】
ユーザが例えば福島県にあるＮＥＣフィールディングという会社を検索したい場合は「フクシマケン」とマイク３４に言う。
【００８２】
「フクシマケン」の表示を確認し、「ヘンカン」といい指示する。「福島県」が表示されると「カクテイ」といい指示する。
【００８３】
「カンマ」といい、「，」が表示されると、「カクテイ」という。
【００８４】
「エヌイーシー」といい、「エヌイーシー」が表示されると「ヘンカン」と言い「ＮＥＣ」が表示されると「カクテイ」という。
【００８５】
「フィールディング」と言い「フィールディング」の表示を確認し「カクテイ」という。「ケンサクカイシ」と言い指示する。
【００８６】
音声文字変換手段３１１は、電話帳アクセス手段３１２を起動し順次記憶した「福島県，ＮＥＣフィールディング」を渡す。
【００８７】
電話帳アクセス手段３１２は、住所に「福島県」を含み、名称に「ＮＥＣフィールディング」を含む電話帳単位情報がないか検索する。
【００８８】
該当データが見つからなかった場合は「該当データが有りません。」と画面表示する。該当データが見つかると、名称、電話番号、住所を含む情報を表示する。
【００８９】
次に「検索・案内サービスにアクセスしますか？」と「する」「しない」ボタンを表示する。
【００９０】
検索・案内サービス要求手段３１４は、起動されると制御システム１にアクセスし、端末識別情報（携帯電話番号、ユーザＩＤ）を送信し、制御システム１からの要求に応じパスワードを送信し、検索要求が受け付けられるとキーワードを含む検索用データを送信する。
【００９１】
制御システム１から検索結果を受信すると表示する。
【００９２】
該当する電話帳単位情報（名称とその電話番号と住所）を一つ以上表示する（図１０参照）。或いは該当無しを表示する。
【００９３】
ユーザが画面上で、電話番号を選択し、確定させると（確定キー押下を受けると）、選択した行の各単位情報を電話帳アクセス手段３１２に渡し、それによる電話帳記憶部３１３の更新を指示する。
【００９４】
この際電話番号でなく名称としてもよいが、何れかをニュートラル（確定キー押下しても登録しない）に定義しておく。
【００９５】
任意の（連続する）１行以上の情報を登録する場合は、「範囲を指定」を選択（カーソル移動）し、確定キーを押下し、登録したい行を選択する（開始行の電話番号にカーソル移動し、確定し、終了行の電話番号にカーソル移動し、確定させる）。
【００９６】
これを受け、選択された範囲の各行の情報を取得し登録を指示する。
【００９７】
「全て登録」を選択し確定させると画面に表示している全行の情報を取得し登録を指示する。
【００９８】
ユーザが画面上で、住所の一つを選択し確定させると（確定キー押下を受けると）、住所データと案内サービス制御情報要求とともに制御システム１に送信し、携帯電話会社システム２の案内サーバ２１ののＵＲＬとアクセスする上での制御データ（入力変数名とその意味等）を受信する。
【００９９】
ＵＲＬと制御データを用い案内サーバ２１にアクセスし、目的地情報（住所情報）と案内サービス要求を送信し目的地を含む地図情報を受信する。
【０１００】
検索・案内サービス要求手段３１４は、制御システム１や案内サーバ２１側のプログラムと整合する専用プログラムとする。
【０１０１】
また別の例では、図６に示す様にブラウザに自動入力機能を追加し構成する。
【０１０２】
検索・案内サービス要求の記述３１４３は、携帯用のＭＬ（Ｍａｒｋｕｐ  ｌａｎｇｕａｇｅ）の記述である。
【０１０３】
制御システム１の受付処理手段１１１にアクセスした際にこれよりロードし、更に電話帳検索サービス手段１１２、案内サービス制御手段１１３による処理に移行した際に受信する。
【０１０４】
案内サービスの記述３１４４は、案内サーバ２１の案内サービス手段２１１にアクセスした際に、ロードする前記同様の記述である。
【０１０５】
ＵＲＬ記憶部３１４５には、電話帳アクセス手段３１２がブラウザ３１４１を起動するにあたり、制御システム１の受付処理手段１１１対応ＵＲＬが設定される。
【０１０６】
自動入力情報記憶部３１４６には、通常はＧＵＩを通じ入力される入力画面への入力を入力変数とその値の形式で、電話帳アクセス手段３１２がブラウザ３１４１を起動する際に設定する。また、この記憶部の自動入力有りフラグもセットする。
【０１０７】
例えば、ＵＲＬ＃１：ＮＵＭ（電話番号の入力変数）＝０９０−ＸＸＸＸ−ＸＸＸＸ、ＵＩＤ＝ＵＩＤＸＸＸＸ、ＵＲＬ＃２：ＫＥＹ（検索用データの入力変数）＝”福島県、ＮＥＣフィールディング”のようにＵＲＬのファイル毎に設定する。
【０１０８】
ブラウザ３１４１は、自動入力有りフラグが立ってなければ、前記ＭＬ記述を解釈しながら画面表示やＧＵＩからの取得、制御システム或いは案内サーバ２１とのやり取りを行う。
【０１０９】
自動入力有りフラグが立っていれば、自動入力情報のＵＲＬで指定しているＭＬ記述を受信すると、これの前記入力変数を含む部分を自動入力情報の式でパッチし（入力画面表示記述の直前等に前記式を挿入し）、それから解釈実行する。
【０１１０】
これにより自動入力値をディフォルト値とし入力画面の入力枠に表示し、確定操作で入力変数の自動入力値が確定する。
【０１１１】
入力画面に再入力され確定操作されると、再入力された値が入力変数に代入される。
【０１１２】
案内サービス手段２１１へアクセスする前に、ブラウザが検索・案内サービス要求の記述３１４３の最後を解釈し、制御システム１から入手したＵＬＲとアクセス制御データをＵＲＬ記憶部、自動入力記憶部に設定し、アクセス先を移行する。
【０１１３】
この目的地の入力画面でも、ディフォルトで住所情報が表示される。
【０１１４】
図５に戻り、通信処理部３１５は、ＨＴＴＰとその下位層のＴＣＰ／ＩＰ等の通信処理を行う。
【０１１５】
端末識別情報記憶部には、携帯電話番号とユーザＩＤを記憶している。
【０１１６】
尚、ＳＤカード上に暗号化された端末識別情報のファイルを作成し、それを携帯電話に組み込む様にしてもよい。
【０１１７】
次に、本発明の実施例の動作について図７，８のフローチャートを参照して説明する。
【０１１８】
まずユーザは個人用携帯電話３の音声入力キーを操作し、音声をマイクに入力する（ステップＡ１）。
【０１１９】
データ処理部３１は入力音声をディジタル化し一時記憶し文字データに変換して、検索開始指示音声を受け、携帯電話３の電話帳記憶部をキーワード検索する（ステップＡ２）。
【０１２０】
検索結果を表示し、検索サービスや案内サービスへのアクセス有無を指定させる（ステップＡ３）。
【０１２１】
ユーザは電話番号が見つからなければ通常はアクセス有りとするが、電話帳記憶部を閲覧するだけの場合（メールアドレスの有無を調べる等）はアクセス無しにする。
【０１２２】
電話番号が見つかっても案内サービスを受ける場合、もしくは電話帳情報が最新情報か確認したい場合もあるので、これらの場合は制御システム１に接続する必要が有るため、検索・案内サービスにアクセス有りを指定する。
【０１２３】
アクセス有りの指定を受けると（ステップＡ４）、検索・案内サービス要求手段３１４を起動する（ステップＡ５）。
【０１２４】
尚、電話キー押下で画面の選択した電話番号に発信する。
【０１２５】
検索・案内サービス要求手段３１４は制御システム１に端末識別情報（携帯電話番号、ユーザＩＤ）を送信する（ステップＡ６）。
【０１２６】
制御システム１はまずサービスを要求してきた携帯電話の電話番号情報を、次に送信されたユーザＩＤを、ユーザＤＢ記憶部１２の情報と照合する。
【０１２７】
確認が取れた場合（ステップＡ７）、携帯電話にパスワードの入力を要求する（ステップＡ８）。
【０１２８】
携帯電話でパスワードを入力させ、これを再度制御システムに送付する（ステップＡ９）。
【０１２９】
制御システムは送付されたパスワードを再度ユーザＤＢ記憶部１２と照合する（ステップＡ１０）。
【０１３０】
ステップＡ７、ステップＡ１０で識別したデータが不一致だった場合、「端末ＩＤまたはパスワードが識別できません」と表示しサービスは終了する（ステップＡ１１）。
【０１３１】
認証データ一致の場合（ステップＡ１０）、検索用データ受付開始を送信する（ステップＡ１２）。
【０１３２】
携帯電話３は変換した文字データを表示し、２回目以降は必要ならキーワードを部分修正して検索データを送付する（ステップＡ１３）。
【０１３３】
制御システムの電話帳検索サービス手段１１２はＷＥＢ電話帳サーバを決め、これに検索指示し（ステップＡ１４）、それより取得した検索結果情報を携帯電話に送信する（図１０参照）（ステップＡ１５）。
【０１３４】
図８のフローチャートに移り、検索結果に該当情報を含めば（ステップＡ１７）、ユーザが結果の電話番号をＴＡＢ等で選択し確定操作をするのを検出し（ステップＡ１８）、選択された各行の単位情報で電話帳記憶部を更新する（ステップＡ１９）。
【０１３５】
ステップＡ１７でＹＥＳの場合は電話の発信ができる。
ユーザが、表示された住所を目的地として移動したい場合、結果の住所の一つをＴＡＢ等で選択し確定操作をするのでこれを検出する（ステップＡ２０）。
【０１３６】
選択された住所情報を制御システムの案内サービス制御手段に送信（ステップＡ２１）し、前記制御手段が住所に対応できる案内サーバのＵＲＬとアクセス制御データを取得しこれらとサービス起動指示を携帯電話３に送信する（ステップＡ２２）。
【０１３７】
携帯電話３（データ処理部３１）は案内サービスを起動し（ステップＡ２３）、携帯電話会社システム２の案内サーバより地図データを受信し表示する（ステップＡ１２）。
【０１３８】
ステップ１９で新規の名称と電話番号と住所等が登録され、また、登録済み名称の電話番号更新や住所追加が行われるので、次回より検索をスピーディに行うことが出来る。
【０１３９】
次に、本発明の第１の実施例の効果について説明する。
【０１４０】
東京都で働くサラリーマンが出張で大阪に泊まる必要がある場合、宿泊するホテルを電話帳やその他の手段で調べる事になるが、本発明を使用すれば、「オオサカエキマエ」「ヘンカン」「カクテイ」「カンマ」「カクテイ」「ビジネスホテル」「カクテイ」「カンマ」「ケンサクカイシ」と音声入力することにより、キーワードに該当したビジネスホテルを一覧表示させてすぐ電話できるし、宿泊先のホテルが決定したら、ナビを起動して目的地まで悩まず到着できる。
【０１４１】
即ち、「宿泊先ホテルを検索し一覧表示」というように構成されているため、「電話番号と場所を検索」できる。
【０１４２】
さらに、「目的地に設定しナビを起動できる」ように構成されているため、「ホテルに迷わず到着」できる。
【０１４３】
本発明の第２の実施例について説明する。
【０１４４】
本発明の第２の実施例では、「ＷＥＢ電話帳を検索する」ように構成されている。
【０１４５】
即ち、携帯電話３の電話帳記憶部３１３には住所までは含まなくてもよく、検索・案内サービス要求手段３１４は、（電話帳）検索サービス要求手段でよい。
【０１４６】
また、制御システム１の案内サーバ情報記憶部１４や処理装置１１の案内サービス制御手段１１３は含まない。
【０１４７】
携帯電話会社システム２の案内サーバは含まない。電話帳ＤＢ記憶部４２には住所までは含む必要はない。
【０１４８】
本実施例の動作は図７及び図８のステップＡ１からＡ１９までである。
【０１４９】
本実施例でも、１０４サービスを使用しないで電話番号を検索でき、１０４に掛ける料金が発生しないと言う効果はある。
【産業上の利用可能性】
【０１５０】
本発明によれば、携帯電話会社に於いて次世代機種に対応させることにより、携帯電話から電話帳を使用したいといった用途に適用できる。
【図面の簡単な説明】
【０１５１】
【図１】本発明の電話帳検索システムの第１の実施例の構成を示すブロック図。
【図２】図１の制御システム１の構成を示す図。
【図３】図１のＷｅｂ電話帳サーバ４の構成を示す図。
【図４】図１の携帯電話会社システム２に含まれる案内システムの構成を示す図。
【図５】図１の携帯電話３の構成を示す図。
【図６】図５の検索・案内サービス要求手段３１４の構成例を示す図。
【図７】本発明の電話帳検索システムの第１の実施例の動作を示すフローチャート。
【図８】本発明の電話帳検索システムの第１の実施例の動作を示すフローチャート。
【図９】図２のユーザＤＢ記憶部１２の情報格納例を示す図。
【図１０】携帯電話３における検索結果情報の表示例を示す図。
【符号の説明】
【０１５２】
１    制御システム
１１    処理装置
１１１    受付処理手段
１１２    電話帳検索サービス手段
１１３    案内サービス制御手段
１２    ユーザＤＢ記憶部
１３    Ｗｅｂ電話帳サーバ情報記憶部
１４    案内サーバ情報記憶部
２    携帯電話会社システム
２１    処理装置（案内サーバ）
２１１    案内サービス手段
２２    地図情報ＤＢ記憶部
３    携帯電話
３１    データ処理部
３１１    音声文字変換手段
３１２    電話帳アクセス手段
３１３    電話帳記憶部
３１４    検索・案内サービス要求手段
３１４１    ブラウザ
３１４３    検索・案内サービス要求の記述
３１４４    案内サービスの記述
３１４５    ＵＲＬ記憶部
３１４６    自動入力情報記憶部
３１５    通信処理部
３１７    音声記憶部
３２    通信部
３３    音声コーディック
３４    マイク
３５    レシーバ
４−１〜４−４    Ｗｅｂ電話帳サーバ
４１    処理装置
４１１    検索手段
４２    電話帳ＤＢ記憶部
１００    インターネット
１０１    無線ネットワーク
【図１】
2006279156.tif 000003
【図２】
2006279156.tif 000004
【図３】
2006279156.tif 000005
【図４】
2006279156.tif 000006
【図５】
2006279156.tif 000007
【図６】
2006279156.tif 000008
【図７】
2006279156.tif 000009
【図８】
2006279156.tif 000010
【図９】
2006279156.tif 000011
【図１０】
2006279156.tif 000012